(57)【要約】      （修正有）【課題】拡張現実映像を配信する、拡張現実映像提供システムを提供する。【解決手段】拡張現実映像提供システム１０は、拡張現実映像を視聴する視聴者が所持する視聴者端末１００と、視聴者の属性を記録して管理する視聴者属性管理装置２００と、通信回線を介して拡張現実映像を配信する映像配信装置３００とを備える。視聴者端末１００は、マーカー情報取得手段と、位置情報取得手段と、再生指示情報送信手段とを備える。視聴者属性管理装置２００は、属性情報数特定手段と、視聴回数情報特定手段と、読み取り済みマーカー情報特定手段と、配信要求情報送信手段とを備える。映像配信装置３００は、視聴者属性管理装置２００から受信した配信要求情報に基づいて、視聴者端末１００へ配信する拡張現実映像を特定する映像特定手段と、映像特定手段によって特定された拡張現実映像を視聴者端末１００へ送信する映像送信手段とを備える。【選択図】図１
2019087180.tif 000002
【特許請求の範囲】
【請求項１】
拡張現実映像を視聴する視聴者が所持する視聴者端末と、前記視聴者の属性を記録して管理する視聴者属性管理装置と、通信回線を介して前記拡張現実映像を配信する映像配信装置とを備えた拡張現実映像提供システムであって、
前記視聴者端末は、
前記拡張現実映像の再生指示を認識するためのマーカーを読み取って、マーカー情報を取得するマーカー情報取得手段と、
前記視聴者端末の位置情報を取得する位置情報取得手段と、
前記マーカー情報取得手段によって取得された前記マーカー情報と、前記位置情報取得手段によって取得された前記位置情報と、あらかじめ記録されている前記視聴者を特定するための視聴者特定情報とを含んだ前記拡張現実映像の再生指示情報を前記視聴者属性管理装置へ送信する再生指示情報送信手段とを備え、
前記視聴者属性管理装置は、
記憶媒体に記録されている視聴者情報に基づいて、前記視聴者の属性を示す属性情報を特定する属性情報数特定手段と、
前記記憶媒体に記録されている視聴履歴情報に基づいて、前記視聴者による前記拡張現実映像の視聴回数を示す視聴回数情報を特定する視聴回数情報特定手段と、
前記記憶媒体に記録されているマーカー読み取り履歴情報に基づいて、前記視聴者によって過去に読み取られたマーカー情報を示す読み取り済みマーカー情報を特定する読み取り済みマーカー情報特定手段と、
前記視聴者端末から受信した前記マーカー情報および前記位置情報と、前記属性情報数特定手段によって特定された前記属性情報と、前記視聴回数情報特定手段によって特定された前記視聴回数情報と、前記読み取り済みマーカー情報特定手段によって特定された前記読み取り済みマーカー情報とを含んだ配信要求情報を前記映像配信装置へ送信する配信要求情報送信手段とを備え、
前記映像配信装置は、
前記視聴者属性管理装置から受信した前記配信要求情報に基づいて、前記視聴者端末へ配信する前記拡張現実映像を特定する映像特定手段と、
前記映像特定手段によって特定された前記拡張現実映像を前記視聴者端末へ送信する映像送信手段とを備えることを特徴とする拡張現実映像提供システム。
【請求項２】
請求項１に記載の拡張現実映像提供システムにおいて、
前記映像特定手段は、前記配信要求情報に含まれる前記位置情報に基づいて、視聴者の現在位置に応じた拡張現実映像を前記視聴者端末へ配信する拡張現実映像として特定することを特徴とする拡張現実映像提供システム。
【請求項３】
請求項１または２に記載の拡張現実映像提供システムにおいて、
前記映像特定手段は、前記配信要求情報に含まれる前記属性情報に基づいて、視聴者の属性に応じた拡張現実映像を前記視聴者端末へ配信する拡張現実映像として特定することを特徴とする拡張現実映像提供システム。
【請求項４】
請求項１〜３のいずれか一項に記載の拡張現実映像提供システムにおいて、
前記映像特定手段は、前記配信要求情報に含まれる前記視聴回数情報に基づいて、視聴者による拡張現実映像の視聴回数に応じた拡張現実映像を前記視聴者端末へ配信する拡張現実映像として特定することを特徴とする拡張現実映像提供システム。
【請求項５】
請求項１〜４のいずれか一項に記載の拡張現実映像提供システムにおいて、
前記映像特定手段は、前記配信要求情報に含まれる前記読み取り済みマーカー情報に基づいて、前記視聴者によって過去に読み取られたマーカー情報に応じた拡張現実映像を前記視聴者端末へ配信する拡張現実映像として特定することを特徴とする拡張現実映像提供システム。
【請求項６】
請求項１〜５のいずれか一項に記載の拡張現実映像提供システムにおいて、
前記映像配信装置では、前記配信要求情報に基づいて、前記視聴者端末へ配信する前記拡張現実映像を特定するための複数のマッチング用データが記憶媒体に記録されており、
前記映像特定手段は、前記配信要求情報に含まれる前記マーカー情報、前記位置情報、前記属性情報、前記視聴回数情報、前記読み取り済みマーカー情報が、マッチング用データにより指定されている条件を満たした場合に、該条件を満たしたマッチング用データに対応する拡張現実映像を配信対象映像として前記視聴者端末へ配信することを特徴とする拡張現実映像提供システム。
【請求項７】
請求項６に記載の拡張現実映像提供システムにおいて、
前記映像特定手段は、前記配信要求情報に含まれる前記マーカー情報、前記位置情報、前記属性情報、前記視聴回数情報、前記読み取り済みマーカー情報がマッチング用データにより指定されている条件を満たした場合に、該条件を満たしたマッチング用データに前記拡張現実映像と同時に再生させる同時再生用の拡張現実映像を特定するための同時再生用情報が含まれる場合には、前記配信対象映像とともに、前記同時再生用情報により特定される同時再生用の拡張現実映像も前記視聴者端末へ配信することを特徴とする拡張現実映像提供システム。
【発明の詳細な説明】
【技術分野】
【０００１】
本発明は、拡張現実映像提供システムに関する。
【背景技術】
【０００２】
次のような拡張現実提供システムが知られている。このシステムでは、ユーザの位置情報に応じた拡張現実を構成する架空情報を出力する（例えば、特許文献１）。
【先行技術文献】
【特許文献】
【０００３】
【特許文献１】特開２０１５−１４９０３２号公報
【発明の概要】
【発明が解決しようとする課題】
【０００４】
近年、拡張現実映像を配信してユーザ端末上で表示させる技術が普及している。拡張現実映像を表示させる場合、ユーザ端末上でマーカーを読み取り、読み取られたマーカーに応じた拡張現実映像を受信して表示させる技術がある。この場合、同じマーカーを読み取った場合は、同じ拡張現実映像が表示されることになるが、これをユーザによる拡張現実映像の視聴回数に応じて変化させることができれば、２回目以降は異なる拡張現実映像を表示させてストーリー性を持たせることができるなど、様々な活用法が見込まれるが、従来の技術では、このような仕組みについて、何ら検討がされていなかった
【課題を解決するための手段】
【０００５】
本発明による拡張現実映像提供システムは、拡張現実映像を視聴する視聴者が所持する視聴者端末と、視聴者の属性を記録して管理する視聴者属性管理装置と、通信回線を介して拡張現実映像を配信する映像配信装置とを備え、視聴者端末は、拡張現実映像の再生指示を認識するためのマーカーを読み取って、マーカー情報を取得するマーカー情報取得手段と、視聴者端末の位置情報を取得する位置情報取得手段と、マーカー情報取得手段によって取得されたマーカー情報と、位置情報取得手段によって取得された位置情報と、あらかじめ記録されている視聴者を特定するための視聴者特定情報とを含んだ拡張現実映像の再生指示情報を視聴者属性管理装置へ送信する再生指示情報送信手段とを備え、視聴者属性管理装置は、記憶媒体に記録されている視聴者情報に基づいて、視聴者の属性を示す属性情報を特定する属性情報数特定手段と、記憶媒体に記録されている視聴履歴情報に基づいて、視聴者による拡張現実映像の視聴回数を示す視聴回数情報を特定する視聴回数情報特定手段と、記憶媒体に記録されているマーカー読み取り履歴情報に基づいて、視聴者によって過去に読み取られたマーカー情報を示す読み取り済みマーカー情報を特定する読み取り済みマーカー情報特定手段と、視聴者端末から受信したマーカー情報および位置情報と、属性情報数特定手段によって特定された属性情報と、視聴回数情報特定手段によって特定された視聴回数情報と、読み取り済みマーカー情報特定手段によって特定された読み取り済みマーカー情報とを含んだ配信要求情報を映像配信装置へ送信する配信要求情報送信手段とを備え、映像配信装置は、視聴者属性管理装置から受信した配信要求情報に基づいて、視聴者端末へ配信する拡張現実映像を特定する映像特定手段と、映像特定手段によって特定された拡張現実映像を視聴者端末へ送信する映像送信手段とを備えることを特徴とする。
【発明の効果】
【０００６】
本発明によれば、視聴者による拡張現実映像の視聴回数も加味して視聴者端末へ配信する拡張現実映像を特定するようにしたため、視聴回数に応じて異なる拡張現実映像を配信することができる。
【図面の簡単な説明】
【０００７】
【図１】拡張現実映像提供システム１０の一実施の形態の構成を示すブロック図である。
【図２】視聴者端末１００の一実施の形態の構成を示すブロック図である。
【図３】視聴者属性管理装置２００の一実施の形態の構成を示すブロック図である。
【図４】映像配信装置３００の一実施の形態の構成を示すブロック図である。
【図５】視聴者端末１００で実行される処理の流れを示すフローチャート図である。
【図６】視聴者属性管理装置２００で実行される処理の流れを示すフローチャート図である。
【図７】映像配信装置３００で実行される処理の流れを示すフローチャート図である。
【発明を実施するための形態】
【０００８】
図１は、本実施の形態における拡張現実映像提供システム１０の一実施の形態の構成を示すブロック図である。拡張現実映像提供システム１０は、拡張現実映像を視聴するユーザが所持する視聴者端末１００と、視聴者端末１００を用いて拡張現実映像を視聴するユーザの属性を記録して管理する視聴者属性管理装置２００と、拡張現実映像を配信する映像配信装置３００とで構成されている。拡張現実映像提供システム１０では、視聴者端末１００と視聴者属性管理装置２００、視聴者端末１００と映像配信装置３００、視聴者属性管理装置２００と映像配信装置３００は、それぞれ通信回線を介して接続可能な構成となっている。
【０００９】
図２は、本実施の形態における視聴者端末１００の一実施の形態の構成を示すブロック図である。視聴者端末１００は、拡張現実映像を視聴する視聴者が所持する情報端末であって、例えば、スマートフォン、携帯電話機、タブレット端末などが用いられる。図２は、本実施の形態における視聴者端末１００として、スマートフォンを用いた場合の一実施の形態の構成を示すブロック図である。
【００１０】
本実施の形態では、スマートフォンに、以下に説明する処理を実行するための視聴者端末用ソフトウェアがインストールされることにより、本実施の形態における視聴者端末１００として動作する。なお、視聴者端末用ソフトウェアのプログラムは、インターネットを介して接続されたサーバー上で公開されることにより提供され、所有者である視聴者やその関係者がこれをダウンロードにより入手し、視聴者端末１００にあらかじめインストールされているものとする。あるいは、視聴者端末用ソフトウェアのプログラムは、ＣＤ−ＲＯＭやＤＶＤ−ＲＯＭ等の記録媒体に記録されて提供されるようにしてもよい。
【００１１】
視聴者端末１００は、タッチパネル１０１と、通信モジュール１０２と、カメラ１０３と、ＧＰＳモジュール１０４と、制御装置１０５とを備えている。
【００１２】
タッチパネル１０１は、液晶パネル等の表示装置とタッチパッドのような位置入力装置を組み合わせた電子部品であり、画面上の表示を押すことで機器を操作することができる入力装置である。例えば、視聴者端末１００の操作者は、液晶パネル上に表示されたボタンやメニュー等の表示項目を指やタッチペンを用いてタッチまたはスライドさせることにより、視聴者端末１００を操作することができる。タッチパネル１０１は、操作者によるタッチやスライドといった操作を検出して、その検出信号を制御装置１０５へ出力する。
【００１３】
通信モジュール１０２は、無線または有線により、ＬＡＮや携帯電話通信網を介して視聴者端末１００をインターネットに接続させるためのモジュールを含む。視聴者端末１００は、通信モジュール１０２を介してインターネットに接続することにより、視聴者属性管理装置２００や映像配信装置３００と通信を行うことが可能となる。
【００１４】
カメラ１０３は、レンズ、撮像素子、その他周辺回路によって構成される公知の撮像装置である。
【００１５】
ＧＰＳモジュール１０４は、ＧＰＳ衛星と通信を行って、ＧＰＳ衛星から現在位置を特定するための測位情報を受信するためのモジュールであり、ＧＰＳ衛星と通信を行うためのアンテナや制御回路等が含まれる。
【００１６】
制御装置１０５は、ＣＰＵ、メモリ、およびその他の周辺回路によって構成され、視聴者端末１００を制御する。なお、制御装置１０５を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、視聴者端末１００を動作させるためのファームウェアや種々のアプリケーションを動作させるためのソフトウェアのプログラムデータが記録される。本実施の形態では、この不揮発性のメモリに、上述した視聴者端末用ソフトウェアのプログラムが記録されている。
【００１７】
視聴者属性管理装置２００は、上述したように、視聴者端末１００を用いて拡張現実映像を視聴するユーザの属性を記録して管理するための装置であって、例えば、パソコンやサーバーなどが用いられる。図３は、本実施の形態における視聴者属性管理装置２００として、サーバー装置を用いた場合の一実施の形態の構成を示すブロック図である。視聴者属性管理装置２００は、接続インターフェース２０１と、制御装置２０２と、記憶媒体２０３とを備えている。
【００１８】
接続インターフェース２０１は、視聴者属性管理装置２００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、視聴者属性管理装置２００は、この接続インターフェース２０１を介して視聴者端末１００や映像配信装置３００と通信する。
【００１９】
制御装置２０２は、ＣＰＵ、メモリ、およびその他の周辺回路によって構成され、視聴者属性管理装置２００の全体を制御する。なお、制御装置２０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース２０１を介して読み込まれたデータは、バッファメモリに一時的に記録される。
【００２０】
記憶媒体２０３は、視聴者属性管理装置２００が蓄える種々のデータや、制御装置２０２が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体２０３に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体２０３にインストールすることによって、制御装置２０２がプログラムを実行できるようになる。
【００２１】
映像配信装置３００は、上述したように、拡張現実映像を配信するための装置であって、例えば、パソコンやサーバーなどが用いられる。図４は、本実施の形態における映像配信装置３００として、サーバー装置を用いた場合の一実施の形態の構成を示すブロック図である。映像配信装置３００は、接続インターフェース３０１と、制御装置３０２と、記憶媒体３０３とを備えている。
【００２２】
接続インターフェース３０１は、映像配信装置３００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、映像配信装置３００は、この接続インターフェース３０１を介して視聴者端末１００や視聴者属性管理装置２００と通信する。
【００２３】
制御装置３０２は、ＣＰＵ、メモリ、およびその他の周辺回路によって構成され、映像配信装置３００を制御する。なお、制御装置３０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース３０１を介して読み込まれたデータは、バッファメモリに一時的に記録される。
【００２４】
記憶媒体３０３は、映像配信装置３００が蓄える種々のデータや、制御装置３０２が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体３０３に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体３０３にインストールすることによって、制御装置３０２がプログラムを実行できるようになる。本実施の形態では、通信回線を介して配信可能な拡張現実映像のデータは、記憶媒体３０３にあらかじめ記録されているものとする。
【００２５】
本実施の形態では、拡張現実映像提供システム１０を利用して、視聴者端末１００のユーザ、すなわち視聴者の属性、位置情報、拡張現実映像の視聴回数、視聴者が過去に読み取ったマーカーに応じた拡張現実映像を映像配信装置３００から配信して、視聴者端末１００で閲覧するための処理について説明する。
【００２６】
本実施の形態では、商品のパッケージ、パンフレット、ちらしなどの媒体に、拡張現実映像の再生指示を受けるためのマーカーが印字されており、視聴者は、視聴者端末１００を操作してマーカーの読み取りを指示することにより、拡張現実映像の再生を指示することができる。なお、マーカーを用いた拡張現実映像の再生指示方法は、公知の方法であるため、本実施の形態では、処理の詳細についての説明を省略する。
【００２７】
視聴者は、視聴者端末１００を操作して、上述した視聴者端末用ソフトウェアのプログラムの実行を指示する。その後、制御装置１０５は、視聴者によってマーカーが表示された媒体からマーカーの読み取りが指示された場合には、カメラ１０３を起動してマーカーを撮影し、マーカー情報を取得する。
【００２８】
制御装置１０５は、マーカー情報を取得すると、ＧＰＳモジュール１０４からの出力に基づいて視聴者端末１００の現在位置を特定し、特定した現在位置の情報を視聴者の位置情報とする。また、制御装置１０５は、メモリから、あらかじめ記録されている視聴者を特定するための視聴者特定情報を読み出す。そして、制御装置１０５は、マーカー情報と、視聴者の位置情報と、視聴者特定情報とを含んだ再生指示情報を視聴者属性管理装置２００へ送信する。なお、マーカー情報は、例えば、マーカーを一意に特定するためにあらかじめ付されたユニークなマーカーＩＤとする。また、視聴者特定情報は、視聴者を一意に特定するためにあらかじめ付されたユニークな視聴者ＩＤとする。
【００２９】
視聴者属性管理装置２００では、制御装置２０２は、視聴者端末１００から再生指示情報を受信すると、受信した再生指示情報を記憶媒体２０３に記録する。これによって、視聴者端末１００から受信した再生指示情報に含まれるマーカー情報、例えばマーカーＩＤと、視聴者の位置情報と、視聴者特定情報、例えば視聴者ＩＤとが記憶媒体２０３に記録される。
【００３０】
制御装置２０２は、記憶媒体２０３に記録されている視聴者情報を参照して、視聴者の属性を示す属性情報を特定する。本実施の形態では、記憶媒体２０３には、例えば、視聴者情報は、上述した視聴者ＩＤ、視聴者の氏名、性別、趣味嗜好、住所などの情報を含んでいる。制御装置２０２は、視聴者端末１００から受信した再生指示情報に含まれる視聴者ＩＤに基づいて、視聴者の性別、趣味嗜好、住所などの情報を視聴者の属性情報として特定する。
【００３１】
また、制御装置２０２は、記憶媒体２０３に記録されている視聴者による拡張現実映像の視聴履歴情報に基づいて、視聴者による拡張現実映像の視聴回数を特定する。本実施の形態では、例えば、視聴履歴情報では、上述した視聴者ＩＤとマーカーＩＤに関連付けて、視聴者ＩＤによって特定される視聴者が視聴者端末１００上で拡張現実映像を視聴した回数を示す視聴回数情報が記録されているものとする。制御装置２０２は、視聴者端末１００から受信した再生指示情報に含まれる視聴者ＩＤとマーカーＩＤに基づいて、視聴者による拡張現実映像の視聴回数を特定する。なお、制御装置２０２は、視聴者端末１００上で拡張現実映像が再生された場合には、再生された拡張現実映像の再生回数に１を加算して、視聴履歴情報を更新する。
【００３２】
また、制御装置２０２は、記憶媒体２０３に記録されているマーカー読み取り履歴情報に基づいて、視聴者による過去のマーカー読み取り履歴を特定する。本実施の形態では、例えば、マーカー読み取り履歴情報では、上述した視聴者ＩＤと過去に読み取られたマーカーＩＤとが関連付けて記録されているものとする。制御装置２０２は、視聴者端末１００から受信した再生指示情報に含まれる視聴者ＩＤに基づいて、視聴者が過去に読み取ったマーカーＩＤを特定する。なお、制御装置２０２は、視聴者端末１００から受信した再生指示情報に含まれるマーカーＩＤを、視聴者のマーカー読み取り履歴に追加して、記憶媒体２０３に記録されているマーカー読み取り履歴情報を更新する。
【００３３】
制御装置２０２は、視聴者端末から受信したマーカーＩＤと、視聴者端末から受信した視聴者の位置情報と、上述した処理で特定した視聴者の属性情報と、上述した処理で特定した視聴者による拡張現実映像の視聴回数を示す視聴回数情報と、上述した処理で特定した視聴者が過去に読み取ったマーカーＩＤを示す読み取り済みマーカー情報とを含んだ配信要求情報を映像配信装置３００へ送信する。
【００３４】
映像配信装置３００では、制御装置３０２は、視聴者属性管理装置２００から配信要求情報を受信すると、受信した配信要求情報に基づいて、視聴者端末１００へ配信する拡張現実映像を特定する。制御装置３０２は、具体的には、以下に説明する配信映像特定処理を実行することにより、視聴者端末１００へ配信する拡張現実映像を特定する。
【００３５】
映像配信装置３００の記憶媒体３０３には、あらかじめ配信対象の拡張現実映像を決定するためのマッチング用データが記録されている。本実施の形態では、マッチング用データは、マーカーＩＤ、マッチングタイプ、マッチング条件、マッチングバリュー１、マッチングバリュー２、組み合わせ条件、配信映像ファイルＩＤ、同時再生マーカーＩＤの各データを含んでいる。
【００３６】
マッチングタイプは、例えば、１〜９のいずれかの数値データが記録される。本実施の形態では、マッチングタイプとして記録される１〜９の数値には、１＝指定エリア、２＝距離、３＝時間帯、４＝性別、５＝趣味趣向、６＝居住所、７＝職業、８＝閲覧回数、９＝過去閲覧コンテンツ、のようにあらかじめマッチングさせるデータのタイプが定義されている。
【００３７】
マッチング条件は、例えば、１〜９のいずれかの数値データが記録される。本実施の形態では、マッチング条件として記録される１〜９の数値には、１＝等しい、２＝等しい以外、３＝以上、４＝より大きい、５＝含む、６＝以下、７＝より小さい、８＝値と値の間、９＝値と値の間以外、のようにあらかじめマッチング条件が定義されている。
【００３８】
マッチングバリュー１とマッチングバリュー２には、テキストや数字などのデータが記録される。なお、マッチングバリュー２は、マッチング条件が、２、８、または９の場合のみ使用される。
【００３９】
組み合わせ条件は、例えば、１〜３のいずれかの数値データが記録される。本実施の形態では、１つのマッチング条件のみを単独で指定する場合は１、複数のマッチング条件をＡＮＤで指定する場合は２、複数のマッチングをＯＲ条件で指定する場合は３が記録される。
【００４０】
配信映像ファイルＩＤには、マーカーＩＤ、マッチングタイプ、マッチング条件、マッチングバリュー１、マッチングバリュー２、組み合わせ条件によって指定される条件を満たした場合に配信対象とする拡張現実映像のファイルＩＤが記録される。
【００４１】
同時再生マーカーＩＤには、配信映像ファイルＩＤに記録されているファイルＩＤにより特定される拡張現実映像と同時に再生させる拡張現実映像のマーカーＩＤが記録される。制御装置３０２は、マッチング用データを用いたマッチング処理の結果、条件を満たしたマッチング用データに同時再生マーカーＩＤが含まれる場合には、配信映像ファイルＩＤにより特定される配信対象の拡張現実映像とともに、同時再生マーカーＩＤにより特定される同時再生用の拡張現実映像も視聴者端末１００へ配信する。これによって、例えば、配信映像ファイルＩＤに、ある地域の旅行パンフレットの拡張現実映像を選択するためのファイルＩＤが記録されており、同時再生マーカーＩＤには、その地域のご当地キャラクターの拡張現実映像を再生するためのマーカーＩＤが記録されている場合、旅行パンフレットの拡張現実映像とともに、その地域のご当地キャラクターの拡張現実映像も同時に再生させることができる。
【００４２】
本実施の形態では、制御装置３０２は、配信要求情報に含まれる情報が、マッチングタイプに対して、マッチングバリュー１と２に記録されている値を用いて設定したマッチング条件を満たす場合に、配信映像ファイルＩＤで指定されている拡張現実映像を配信対象として選択する。すなわち、制御装置３０２は、配信要求情報に基づいて、マーカーＩＤ、視聴者の位置情報、視聴者の属性情報、視聴者による拡張現実映像の視聴回数を示す視聴回数情報、視聴者が過去に読み取ったマーカーＩＤを示す読み取り済みマーカー情報を特定し、マーカーＩＤが一致するマッチングデータの中から、マッチングタイプに対して、マッチングバリュー１と２に記録されている値を用いて設定したマッチング条件を満たす場合に、配信映像ファイルＩＤで指定されている拡張現実映像を配信対象として選択する。
【００４３】
例えば、配信要求情報に含まれるマーカーＩＤに対して、マッチングタイプが４、マッチング条件が１、マッチングバリュー１が女性というマッチングデータが記録されている場合には「性別が女性と等しい」という条件となるため、視聴者が女性の場合に、配信映像ファイルＩＤで指定されている拡張現実映像が配信対象として選択される。
【００４４】
また、マッチングタイプが３、マッチング条件が８、マッチングバリュー１が１２：００、マッチングバリュー２が１６：００である場合には「時間帯が１２：００と１６：００の間」という条件となるため、配信要求情報を受信した時間が１２：００から１６：００の間の場合に、配信映像ファイルＩＤで指定されている拡張現実映像が配信対象として選択される。
【００４５】
例えば、あるマーカーＩＤが読み取られたときに、視聴者の現在位置が特定の場所から１０ｋｍ以上離れている場合と、１０ｋｍ以内に位置している場合とで配信する拡張現実映像を切り替えたい場合には、その再生指示を受けるためのマーカーＩＤに対して、マッチングタイプ＝２、マッチング条件＝３、マッチングバリュー１＝特定の場所の位置情報（緯度経度情報）、マッチングバリュー2＝１０ｋｍ、配信映像ファイルＩＤ＝視聴者の現在位置が特定の場所から１０ｋｍ以上離れている場合に配信する拡張現実映像のファイルＩＤ、組み合わせ条件＝１というマッチング用データと、マッチングタイプ＝２、マッチング条件＝７、マッチングバリュー１＝特定の場所の位置情報（緯度経度情報）、マッチングバリュー2＝１０ｋｍ、配信映像ファイルＩＤ＝視聴者の現在位置が特定の場所から１０ｋｍ未満である場合に配信する拡張現実映像のファイルＩＤ、組み合わせ条件＝１というマッチング用データをあらかじめ記録しておけばよい。
【００４６】
これによって、例えば、水害保険のチラシに印字されているマーカーが読み取られたときに、最寄りの海岸線から１０ｋｍ以上離れている視聴者に対しては台風保険に関する拡張現実映像を配信し、最寄りの海岸線から１０ｋｍ以内にいる視聴者に対しては津波保険に関する拡張現実映像を配信するなど、視聴者の現在位置に合わせた拡張現実映像を配信することができる。
【００４７】
また、あるマーカーＩＤが読み取られたときに、視聴者の現在位置が本州である場合と、本州以外である場合とで配信する拡張現実映像を切り替えたい場合には、その再生指示を受けるためのマーカーＩＤに対して、マッチングタイプ＝１、マッチング条件＝１、マッチングバリュー１＝本州内であることを示すエリア情報、配信映像ファイルＩＤ＝視聴者の現在位置が本州内である場合に配信する拡張現実映像のファイルＩＤ、組み合わせ条件＝１というマッチング用データと、マッチングタイプ＝１、マッチング条件＝２、マッチングバリュー１＝本州内であることを示すエリア情報、配信映像ファイルＩＤ＝視聴者の現在位置が本州の外である場合に配信する拡張現実映像のファイルＩＤ、組み合わせ条件＝１というマッチング用データをあらかじめ記録しておけばよい。
【００４８】
これによって、例えば、本州の観光地の旅行パンフレットに印字されているマーカーが読み取られたときに、本州内にいる視聴者に対しては新幹線と宿を組み合わせた旅行プランに関する拡張現実映像を配信し、本州外にいる視聴者に対しては飛行機と宿を組み合わせた旅行プランに関する拡張現実映像を配信するなど、視聴者の現在位置に合わせた拡張現実映像を配信することができる。
【００４９】
また、あるマーカーＩＤが読み取られたときに、時刻が午前中の場合と午後の場合とで配信する拡張現実映像を切り替えたい場合には、その再生指示を受けるためのマーカーＩＤに対して、マッチングタイプ＝３、マッチング条件＝８、マッチングバリュー１＝０：０１、マッチングバリュー２＝１２：００、配信映像ファイルＩＤ＝午前中に配信する拡張現実映像のファイルＩＤ、組み合わせ条件＝１というマッチング用データと、マッチングタイプ＝３、マッチング条件＝８、マッチングバリュー１＝１２：０１、マッチングバリュー２＝０：００、配信映像ファイルＩＤ＝午後に配信する拡張現実映像のファイルＩＤ、組み合わせ条件＝１というマッチング用データをあらかじめ記録しておけばよい。
【００５０】
これによって、例えば、食品パッケージに印字されているマーカーが読み取られたときに、午前中の場合は朝食や昼食のメニューに関する拡張現実映像を配信し、午後の場合は夕食のメニューに関する拡張現実映像を配信するなど、時間帯に合わせた拡張現実映像を配信することができる。
【００５１】
また、ある商品のパッケージからマーカーＩＤが読み取られたときに、視聴者の趣味嗜好情報に基づいて、視聴者の好みの色が赤色である場合とそれ以外の色である場合とで配信する拡張現実映像を切り替えたい場合には、その再生指示を受けるためのマーカーＩＤに対して、マッチングタイプ＝５、マッチング条件＝１、マッチングバリュー１＝赤色、配信映像ファイルＩＤ＝視聴者の好みの色が赤色である場合に配信する商品紹介のための拡張現実映像のファイルＩＤ、組み合わせ条件＝１というマッチング用データと、マッチングタイプ＝５、マッチング条件＝２、マッチングバリュー１＝赤色、配信映像ファイルＩＤ＝視聴者の好みの色が赤色以外である場合に配信する商品紹介のための拡張現実映像のファイルＩＤ、組み合わせ条件＝１というマッチング用データをあらかじめ記録しておけばよい。
【００５２】
これによって、例えば、ネイル関連商品のパッケージに印字されているマーカーが読み取られたときに、視聴者の好みが赤色である場合は赤色のネイル商品に関する拡張現実映像を配信し、視聴者の好みが赤色以外である場合は赤色以外のネイル商品に関する拡張現実映像を配信するなど、視聴者の好みに合わせた拡張現実映像を配信することができる。
【００５３】
また、あるマーカーＩＤが読み取られたときに、視聴者が女性かつＯＬである場合とそれ以外の色である場合とで配信する拡張現実映像を切り替えたい場合には、その再生指示を受けるためのマーカーＩＤに対して、マッチングタイプ＝４、マッチング条件＝１、マッチングバリュー１＝女性、配信映像ファイルＩＤ＝視聴者が女性かつＯＬである場合に配信する拡張現実映像のファイルＩＤ、組み合わせ条件＝２というマッチング用データと、マッチングタイプ＝７、マッチング条件＝１、マッチングバリュー１＝ＯＬ、配信映像ファイルＩＤ＝視聴者が女性かつＯＬである場合に配信する拡張現実映像のファイルＩＤ、組み合わせ条件＝２というマッチング用データ、およびマッチングタイプ＝４、マッチング条件＝２、マッチングバリュー１＝女性、配信映像ファイルＩＤ＝視聴者が女性かつＯＬ以外である場合に配信する拡張現実映像のファイルＩＤ、組み合わせ条件＝２というマッチング用データと、マッチングタイプ＝７、マッチング条件＝２、マッチングバリュー１＝ＯＬ、配信映像ファイルＩＤ＝視聴者が女性かつＯＬ以外である場合に配信する拡張現実映像のファイルＩＤ、組み合わせ条件＝２というマッチング用データをあらかじめ記録しておけばよい。
【００５４】
これによって、例えば、旅行パンフレットに印字されているマーカーが読み取られたときに、視聴者が女性かつＯＬである場合はＯＬが好みそうな旅行プランに関する拡張現実映像を配信し、視聴者が女性かつＯＬ以外である場合はその他の旅行プランに関する拡張現実映像を配信するなど、視聴者の性別や職業に合わせた拡張現実映像を配信することができる。
【００５５】
また、あるマーカーＩＤが読み取られたときに、視聴回数情報に基づいて、視聴者による視聴回数が１〜３回目の場合と４回目以降の場合とで配信する拡張現実映像を切り替えたい場合には、その再生指示を受けるためのマーカーＩＤに対して、マッチングタイプ＝８、マッチング条件＝８、マッチングバリュー１＝１、マッチングバリュー２＝３、配信映像ファイルＩＤ＝視聴者による視聴回数が１〜３回目の場合に配信する拡張現実映像のファイルＩＤ、組み合わせ条件＝１というマッチング用データと、マッチングタイプ＝８、マッチング条件＝３、マッチングバリュー１＝４、配信映像ファイルＩＤ＝視聴者による視聴回数が４回目以降の場合に配信する拡張現実映像のファイルＩＤ、組み合わせ条件＝１というマッチング用データをあらかじめ記録しておけばよい。
【００５６】
これによって、例えば、店頭に表示されたマーカーが読み取られたときに、視聴者の視聴回数が１〜３回目である場合には、来店回数が１〜３回の客に向けた拡張現実映像を配信し、視聴者の視聴回数が４回以上である場合には、来店回数が４回目以上である客に向けた拡張現実映像を配信するなど、視聴者の視聴回数に応じた拡張現実映像を配信することができる。また、視聴者による視聴回数が１回目の場合と２回目以降の場合とで配信する拡張現実映像を切り替えるようにすれば、書籍に印字されたマーカーが読み取られたときに、視聴者の視聴回数が１回目である場合には、ハッピーエンドのストーリーが描かれた拡張現実映像を配信し、視聴者の視聴回数が２回目である場合には、バッドエンドのストーリーが描かれた拡張現実映像を配信するなどして、書籍の読者が１回目と２回目で異なるストーリーを楽しむことができるようにすることもできる。
【００５７】
また、あるマーカーＩＤが読み取られたときに、そのマーカーＩＤを読み取る前に、視聴者端末１００上で、指定された他のマーカーＩＤ、例えば「Ａ１２３４５」が読み取られたことがある場合と、それ以外の場合とで配信する拡張現実映像を切り替えたい場合には、その再生指示を受けるためのマーカーＩＤに対して、マッチングタイプ＝９、マッチング条件＝１、マッチングバリュー１＝Ａ１２３４５、配信映像ファイルＩＤ＝視聴者が過去に「マーカーＩＤ＝Ａ１２３４５」を読みとったことがある場合に配信する拡張現実映像のファイルＩＤ、組み合わせ条件＝１というマッチング用データと、マッチングタイプ＝９、マッチング条件＝２、マッチングバリュー１＝Ａ１２３４５、配信映像ファイルＩＤ＝視聴者が過去に「マーカーＩＤ＝Ａ１２３４５」を読みとったことがない場合に配信する拡張現実映像のファイルＩＤ、組み合わせ条件＝１というマッチング用データをあらかじめ記録しておけばよい。
【００５８】
これによって、例えば、料理のレシピに印字されているマーカーが読み取られたときに、視聴者が過去にじゃがいもに関連する拡張現実映像を視聴するためのマーカーが読み取っていた場合には、カレーのレシピに関する拡張現実映像を配信し、視聴者が過去にキャベツに関連する拡張現実映像を視聴するためのマーカーが読み取っていた場合には、水炊きのレシピに関する拡張現実映像を配信するなど、視聴者が過去に読み取ったマーカーに応じた拡張現実映像を配信することができる。
【００５９】
制御装置３０２は、上述したように記録されているマッチング用データを対象として、配信要求情報に含まれる各情報を用いたマッチング処理を行うことにより、配信要求情報に含まれる情報が条件を満たしているマッチング用データを特定し、そのマッチングデータ内で指定されている拡張現実映像のファイルＩＤを特定することによって、配信対象の拡張現実映像を特定する。そして、制御装置３０２は、特定した拡張現実映像を視聴者端末１００へ送信する。
【００６０】
視聴者端末１００では、制御装置１０５は、映像配信装置３００から拡張現実映像を受信すると、受信した映像をタッチパネル１０１へ出力して表示することにより、拡張現実映像を再生する。これによって、視聴者は、読み取ったマーカーに基づいて、自身の属性、位置情報、今までの視聴回数、過去に読み取ったマーカーなどに応じた拡張現実映像を閲覧することができる。
【００６１】
図５は、本実施の形態における視聴者端末１００で実行される処理の流れを示すフローチャートである。図５に示す処理は、視聴者によって、上述した視聴者端末用ソフトウェアのプログラムの実行が指示されると起動するプログラムとして、制御装置１０５によって実行される。
【００６２】
ステップＳ１０において、制御装置１０５は、視聴者によってマーカーの読み取りが指示されたか否かを判断する。ステップＳ１０で否定判断した場合には、後述するステップＳ８０へ進む。これに対して、ステップＳ１０で肯定判断した場合には、ステップＳ２０へ進む。
【００６３】
ステップＳ２０では、制御装置１０５は、カメラ１０３を起動してマーカーを撮影し、マーカー情報を取得する。その後、ステップＳ３０へ進む。
【００６４】
ステップＳ３０では、制御装置１０５は、ＧＰＳモジュール１０４からの出力に基づいて視聴者端末１００の現在位置を特定し、特定した現在位置の情報を視聴者の位置情報とする。その後、ステップＳ４０へ進む。
【００６５】
ステップＳ４０では、制御装置１０５は、メモリから、あらかじめ記録されている視聴者特定情報を読み出す。その後、ステップＳ５０へ進む。
【００６６】
ステップＳ５０では、制御装置１０５は、マーカー情報と、視聴者の位置情報と、視聴者を特定するための視聴者特定情報とを含んだ再生指示情報を視聴者属性管理装置２００へ送信する。その後、ステップＳ６０へ進む。
【００６７】
ステップＳ６０では、制御装置１０５は、映像配信装置３００から拡張現実映像を受信したか否かを判断する。ステップＳ６０で肯定判断した場合には、ステップＳ７０へ進む。
【００６８】
ステップＳ７０では、制御装置１０５は、映像配信装置３００から受信した映像をタッチパネル１０１へ出力して表示することにより、拡張現実映像を再生する。その後、ステップＳ８０へ進む。
【００６９】
ステップＳ８０では、制御装置１０５は、プログラムの終了が指示されたか否かを判断する。本実施の形態では、例えば、視聴者が上述した視聴者端末用ソフトウェアのプログラムの終了を指示した場合に、ステップＳ８０は肯定判断される。ステップＳ８０で否定判断した場合には、ステップＳ１０へ戻る。これに対して、ステップＳ８０で肯定判断した場合には、処理を終了する。
【００７０】
図６は、本実施の形態における視聴者属性管理装置２００で実行される処理の流れを示すフローチャートである。図６に示す処理は、視聴者端末１００から上述した再生指示情報を受信すると起動するプログラムとして、制御装置２０２によって実行される。
【００７１】
ステップＳ１１０において、制御装置２０２は、視聴者端末１００から受信した再生指示情報を記憶媒体２０３に記録する。その後、ステップＳ１２０へ進む。
【００７２】
ステップＳ１２０では、制御装置２０２は、記憶媒体２０３に記録されている視聴者情報を参照して、視聴者の属性を示す属性情報を特定する。その後、ステップＳ１３０へ進む。
【００７３】
ステップＳ１３０では、制御装置２０２は、記憶媒体２０３に記録されている視聴者による拡張現実映像の視聴履歴情報に基づいて、視聴者による拡張現実映像の視聴回数を特定する。その後、ステップＳ１４０へ進む。
【００７４】
ステップＳ１４０では、制御装置２０２は、記憶媒体２０３に記録されているマーカー読み取り履歴情報に基づいて、視聴者による過去のマーカー読み取り履歴を特定する。その後、ステップＳ１５０へ進む。
【００７５】
ステップＳ１５０では、制御装置２０２は、視聴者端末から受信したマーカーＩＤと、視聴者端末から受信した視聴者の位置情報と、上述した処理で特定した視聴者の属性情報と、上述した処理で特定した視聴者による拡張現実映像の視聴回数を示す視聴回数情報と、上述した処理で特定した視聴者が過去に読み取ったマーカーＩＤを示す読み取り済みマーカー情報とを含んだ配信要求情報を映像配信装置３００へ送信する。その後、処理を終了する。
【００７６】
図７は、本実施の形態における映像配信装置３００で実行される処理の流れを示すフローチャートである。図７に示す処理は、視聴者属性管理装置２００から上述した配信要求情報を受信すると起動するプログラムとして、制御装置３０２によって実行される。
【００７７】
ステップＳ２１０において、制御装置３０２は、上述した配信映像特定処理を実行して、視聴者端末１００へ配信する拡張現実映像を特定する。その後、ステップＳ２２０へ進む。
【００７８】
ステップＳ２２０では、制御装置３０２は、配信映像特定処理によって特定した拡張現実映像を視聴者端末１００へ送信する。その後、処理を終了する。
【００７９】
以上説明した本実施の形態によれば、以下のような作用効果を得ることができる。
（１）視聴者端末１００の制御装置１０５は、拡張現実映像の再生指示を認識するためのマーカーを読み取って、マーカー情報を取得し、視聴者端末１００の位置情報を取得し、取得したマーカー情報および位置情報と、あらかじめ記録されている視聴者を特定するための視聴者特定情報とを含んだ拡張現実映像の再生指示情報を視聴者属性管理装置２００へ送信するようにした。視聴者属性管理装置２００の制御装置２０２は、記憶媒体２０３に記録されている視聴者情報に基づいて、視聴者の属性を示す属性情報を特定し、記憶媒体２０３に記録されている視聴履歴情報に基づいて、視聴者による拡張現実映像の視聴回数を示す視聴回数情報を特定し、記憶媒体２０３に記録されているマーカー読み取り履歴情報に基づいて、視聴者によって過去に読み取られたマーカー情報を示す読み取り済みマーカー情報を特定し、マーカー情報、位置情報、属性情報、視聴回数情報、読み取り済みマーカー情報とを含んだ配信要求情報を映像配信装置３００へ送信するようにした。映像配信装置３００の制御装置３０２は、視聴者属性管理装置２００から受信した配信要求情報に基づいて、視聴者端末１００へ配信する拡張現実映像を特定し、特定した拡張現実映像を視聴者端末１００へ送信するようにした。これによって、視聴者端末１００上でマーカーを読み取ることによって、マーカー情報、位置情報、属性情報、視聴回数情報、読み取り済みマーカー情報に応じた拡張現実映像を視聴者端末１００へ配信することができる。
【００８０】
（２）制御装置３０２は、配信要求情報に含まれる位置情報に基づいて、視聴者の現在位置に応じた拡張現実映像を視聴者端末へ配信する拡張現実映像として特定するようにした。これによって、視聴者は、自身の現在位置に応じた拡張現実映像を視聴することができる。
【００８１】
（３）制御装置３０２は、配信要求情報に含まれる属性情報に基づいて、視聴者の属性に応じた拡張現実映像を視聴者端末１００へ配信する拡張現実映像として特定するようにした。これによって、視聴者は、自身の属性に応じた拡張現実映像を視聴することができる。
【００８２】
（４）制御装置３０２は、配信要求情報に含まれる視聴回数情報に基づいて、視聴者による拡張現実映像の視聴回数に応じた拡張現実映像を視聴者端末１００へ配信する拡張現実映像として特定するようにした。これによって、視聴者は、自身の拡張現実映像の視聴回数に応じた拡張現実映像を視聴することができる。
【００８３】
（５）制御装置３０２は、配信要求情報に含まれる読み取り済みマーカー情報に基づいて、視聴者によって過去に読み取られたマーカー情報に応じた拡張現実映像を視聴者端末１００へ配信する拡張現実映像として特定するようにした。これによって、視聴者は、自身の過去のマーカーの読み取り状況に応じた拡張現実映像を視聴することができる。
【００８４】
（６）映像配信装置３００では、配信要求情報に基づいて、視聴者端末１００へ配信する拡張現実映像を特定するための複数のマッチング用データが記憶媒体２０３に記録されており、制御装置３０２は、配信要求情報に含まれるマーカー情報、位置情報、属性情報、視聴回数情報、読み取り済みマーカー情報が、マッチング用データにより指定されている条件を満たした場合に、該条件を満たしたマッチング用データに対応する拡張現実映像を配信対象映像として視聴者端末１００へ配信するようにした。これによって、制御装置３０２は、マッチング用データを用いたマッチング処理を行うことによって、視聴者端末１００へ配信する拡張現実映像を特定することができる。
【００８５】
（７）制御装置３０２は、配信要求情報に含まれるマーカー情報、位置情報、属性情報、視聴回数情報、読み取り済みマーカー情報がマッチング用データにより指定されている条件を満たした場合に、該条件を満たしたマッチング用データに拡張現実映像と同時に再生させる同時再生用の拡張現実映像を特定するための同時再生用情報として同時再生マーカーＩＤが含まれる場合には、配信対象映像とともに、同時再生用情報により特定される同時再生用の拡張現実映像も視聴者端末へ配信するようにした。これによって、視聴者端末１００上で同時に複数の拡張現実映像を再生させることもできる。
【００８６】
―変形例―
なお、上述した実施の形態の拡張現実映像提供システムは、以下のように変形することもできる。
【００８７】
（１）上述した実施の形態では、視聴者端末１００は、拡張現実映像を視聴する視聴者が所持する情報端末であって、例えば、スマートフォン、携帯電話機、タブレット端末などが用いられる例について説明した。しかしながら、視聴者端末１００は、映像配信装置３００から拡張現実映像を受信して再生することができる機器であれば、その他の端末であってもよい。例えば、通信機能と液晶モニタを備えたデジタルカメラなどにも本発明を適用することは可能である。
【００８８】
（２）上述した実施の形態では、映像配信装置３００の記憶媒体３０３に記録されるマッチング用データの例を示したが、マッチング用データは、視聴者属性管理装置２００から受信する配信要求情報とマッチングを行って、視聴者端末１００へ配信する拡張現実映像を特定することができるデータであれば、上記の実施の形態に記載した内容には限定されない。
【００８９】
（３）上述した実施の形態では、マッチングタイプとして記録される１〜９の数値には、１＝指定エリア、２＝距離、３＝時間帯、４＝性別、５＝趣味趣向、６＝居住所、７＝職業、８＝閲覧回数、９＝過去閲覧コンテンツ、のようにあらかじめマッチングさせるデータのタイプが定義されている例について説明した。しかしながら、上記の１〜９以外のタイプを指定できるようにしてもよい。例えば、視聴者の年齢や年代、既婚か否か、子供ありか否か、年収、国籍、言語、宗教、利用端末、モバイル端末の場合は移動中か否か、GPSに基づき屋内か屋外か、及び天候等をマッチングタイプに含めるようにしてもよい。また、マッチング用データでは、複数のマッチングタイプをＡＮＤ条件で指定することができるようにしてもよい。
【００９０】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００９１】
１０  拡張現実映像提供システム
１００  視聴者端末
１０１  タッチパネル
１０２  通信モジュール
１０３  カメラ
１０４  ＧＰＳモジュール
１０５  制御装置
２００  視聴者属性管理装置
２０１  接続インターフェース
２０２  制御装置
２０３  記憶媒体
３００  映像配信装置
３０１  接続インターフェース
３０２  制御装置
３０３  記憶媒体
【図１】
2019087180.tif 000003
【図２】
2019087180.tif 000004
【図３】
2019087180.tif 000005
【図４】
2019087180.tif 000006
【図５】
2019087180.tif 000007
【図６】
2019087180.tif 000008
【図７】
2019087180.tif 000009
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
拡張現実映像を視聴する視聴者が所持する視聴者端末と、前記視聴者の属性を記録して管理する視聴者属性管理装置と、通信回線を介して前記拡張現実映像を配信する映像配信装置とを備えた拡張現実映像提供システムであって、
前記視聴者端末は、
前記拡張現実映像の再生指示を認識するためのマーカーを読み取って、マーカー情報を取得するマーカー情報取得手段と、
前記視聴者端末の位置情報を取得する位置情報取得手段と、
前記マーカー情報取得手段によって取得された前記マーカー情報と、前記位置情報取得手段によって取得された前記位置情報と、あらかじめ記録されている前記視聴者を特定するための視聴者特定情報とを含んだ前記拡張現実映像の再生指示情報を前記視聴者属性管理装置へ送信する再生指示情報送信手段とを備え、
前記視聴者属性管理装置は、
記憶媒体に記録されている視聴者情報に基づいて、前記視聴者の属性を示す属性情報を特定する属性情報数特定手段と、
前記記憶媒体に記録されている視聴履歴情報に基づいて、前記視聴者による前記拡張現実映像の視聴回数を示す視聴回数情報を特定する視聴回数情報特定手段と、
前記記憶媒体に記録されているマーカー読み取り履歴情報に基づいて、前記視聴者によって過去に読み取られたマーカー情報を示す読み取り済みマーカー情報を特定する読み取り済みマーカー情報特定手段と、
前記視聴者端末から受信した前記マーカー情報および前記位置情報と、前記属性情報数特定手段によって特定された前記属性情報と、前記視聴回数情報特定手段によって特定された前記視聴回数情報と、前記読み取り済みマーカー情報特定手段によって特定された前記読み取り済みマーカー情報とを含んだ配信要求情報を前記映像配信装置へ送信する配信要求情報送信手段とを備え、
前記映像配信装置は、
前記視聴者属性管理装置から受信した前記配信要求情報に基づいて、前記視聴者端末へ配信する前記拡張現実映像を特定する映像特定手段と、
前記映像特定手段によって特定された前記拡張現実映像を前記視聴者端末へ送信する映像送信手段とを備え、
前記映像配信装置では、前記配信要求情報に基づいて、前記視聴者端末へ配信する前記拡張現実映像を特定するための複数のマッチング用データが記憶媒体に記録されており、
前記映像特定手段は、前記配信要求情報に含まれる前記マーカー情報、前記位置情報、前記属性情報、前記視聴回数情報、前記読み取り済みマーカー情報が、マッチング用データにより指定されている条件を満たした場合に、該条件を満たしたマッチング用データに対応する拡張現実映像を配信対象映像として前記視聴者端末へ配信することを特徴とする拡張現実映像提供システム。
【請求項２】
請求項１に記載の拡張現実映像提供システムにおいて、
前記映像特定手段は、前記配信要求情報に含まれる前記位置情報に基づいて、視聴者の現在位置に応じた拡張現実映像を前記視聴者端末へ配信する拡張現実映像として特定することを特徴とする拡張現実映像提供システム。
【請求項３】
請求項１または２に記載の拡張現実映像提供システムにおいて、
前記映像特定手段は、前記配信要求情報に含まれる前記属性情報に基づいて、視聴者の属性に応じた拡張現実映像を前記視聴者端末へ配信する拡張現実映像として特定することを特徴とする拡張現実映像提供システム。
【請求項４】
請求項１〜３のいずれか一項に記載の拡張現実映像提供システムにおいて、
前記映像特定手段は、前記配信要求情報に含まれる前記視聴回数情報に基づいて、視聴者による拡張現実映像の視聴回数に応じた拡張現実映像を前記視聴者端末へ配信する拡張現実映像として特定することを特徴とする拡張現実映像提供システム。
【請求項５】
請求項１〜４のいずれか一項に記載の拡張現実映像提供システムにおいて、
前記映像特定手段は、前記配信要求情報に含まれる前記読み取り済みマーカー情報に基づいて、前記視聴者によって過去に読み取られたマーカー情報に応じた拡張現実映像を前記視聴者端末へ配信する拡張現実映像として特定することを特徴とする拡張現実映像提供システム。
【請求項６】
請求項１〜５のいずれか一項に記載の拡張現実映像提供システムにおいて、
前記映像特定手段は、前記配信要求情報に含まれる前記マーカー情報、前記位置情報、前記属性情報、前記視聴回数情報、前記読み取り済みマーカー情報がマッチング用データにより指定されている条件を満たした場合に、該条件を満たしたマッチング用データに前記拡張現実映像と同時に再生させる同時再生用の拡張現実映像を特定するための同時再生用情報が含まれる場合には、前記配信対象映像とともに、前記同時再生用情報により特定される同時再生用の拡張現実映像も前記視聴者端末へ配信することを特徴とする拡張現実映像提供システム。
【手続補正２】
【補正対象書類名】明細書
【補正対象項目名】０００５
【補正方法】変更
【補正の内容】
【０００５】
本発明による拡張現実映像提供システムは、拡張現実映像を視聴する視聴者が所持する視聴者端末と、視聴者の属性を記録して管理する視聴者属性管理装置と、通信回線を介して拡張現実映像を配信する映像配信装置とを備え、視聴者端末は、拡張現実映像の再生指示を認識するためのマーカーを読み取って、マーカー情報を取得するマーカー情報取得手段と、視聴者端末の位置情報を取得する位置情報取得手段と、マーカー情報取得手段によって取得されたマーカー情報と、位置情報取得手段によって取得された位置情報と、あらかじめ記録されている視聴者を特定するための視聴者特定情報とを含んだ拡張現実映像の再生指示情報を視聴者属性管理装置へ送信する再生指示情報送信手段とを備え、視聴者属性管理装置は、記憶媒体に記録されている視聴者情報に基づいて、視聴者の属性を示す属性情報を特定する属性情報数特定手段と、記憶媒体に記録されている視聴履歴情報に基づいて、視聴者による拡張現実映像の視聴回数を示す視聴回数情報を特定する視聴回数情報特定手段と、記憶媒体に記録されているマーカー読み取り履歴情報に基づいて、視聴者によって過去に読み取られたマーカー情報を示す読み取り済みマーカー情報を特定する読み取り済みマーカー情報特定手段と、視聴者端末から受信したマーカー情報および位置情報と、属性情報数特定手段によって特定された属性情報と、視聴回数情報特定手段によって特定された視聴回数情報と、読み取り済みマーカー情報特定手段によって特定された読み取り済みマーカー情報とを含んだ配信要求情報を映像配信装置へ送信する配信要求情報送信手段とを備え、映像配信装置は、視聴者属性管理装置から受信した配信要求情報に基づいて、視聴者端末へ配信する拡張現実映像を特定する映像特定手段と、映像特定手段によって特定された拡張現実映像を視聴者端末へ送信する映像送信手段とを備え、映像配信装置では、配信要求情報に基づいて、視聴者端末へ配信する拡張現実映像を特定するための複数のマッチング用データが記憶媒体に記録されており、映像特定手段は、配信要求情報に含まれるマーカー情報、位置情報、属性情報、視聴回数情報、読み取り済みマーカー情報が、マッチング用データにより指定されている条件を満たした場合に、該条件を満たしたマッチング用データに対応する拡張現実映像を配信対象映像として視聴者端末へ配信することを特徴とする。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
拡張現実映像を視聴する視聴者が所持する視聴者端末と、前記視聴者の属性を記録して管理する視聴者属性管理装置と、通信回線を介して前記拡張現実映像を配信する映像配信装置とを備えた拡張現実映像提供システムであって、
前記視聴者端末は、
前記拡張現実映像の再生指示を認識するためのマーカーを読み取って、マーカー情報を取得するマーカー情報取得手段と、
前記視聴者端末の位置情報を取得する位置情報取得手段と、
前記マーカー情報取得手段によって取得された前記マーカー情報と、前記位置情報取得手段によって取得された前記位置情報と、あらかじめ記録されている前記視聴者を特定するための視聴者特定情報とを含んだ前記拡張現実映像の再生指示情報を前記視聴者属性管理装置へ送信する再生指示情報送信手段とを備え、
前記視聴者属性管理装置は、
記憶媒体に記録されている視聴者情報に基づいて、前記視聴者の属性を示す属性情報を特定する属性情報数特定手段と、
前記記憶媒体に記録されている視聴履歴情報に基づいて、前記視聴者による前記拡張現実映像の視聴回数を示す視聴回数情報を特定する視聴回数情報特定手段と、
前記記憶媒体に記録されているマーカー読み取り履歴情報に基づいて、前記視聴者によって過去に読み取られたマーカー情報を示す読み取り済みマーカー情報を特定する読み取り済みマーカー情報特定手段と、
前記視聴者端末から受信した前記マーカー情報および前記位置情報と、前記属性情報数特定手段によって特定された前記属性情報と、前記視聴回数情報特定手段によって特定された前記視聴回数情報と、前記読み取り済みマーカー情報特定手段によって特定された前記読み取り済みマーカー情報とを含んだ配信要求情報を前記映像配信装置へ送信する配信要求情報送信手段とを備え、
前記映像配信装置は、
前記視聴者属性管理装置から受信した前記配信要求情報に基づいて、前記視聴者端末へ配信する前記拡張現実映像を特定する映像特定手段と、
前記映像特定手段によって特定された前記拡張現実映像を前記視聴者端末へ送信する映像送信手段とを備え、
前記映像配信装置では、前記配信要求情報に基づいて、前記視聴者端末へ配信する前記拡張現実映像を特定するための複数のマッチング用データが記憶媒体に記録されており、
前記マッチング用データは、前記マーカー情報と、マッチングさせるデータのタイプを示すマッチングタイプと、マッチング条件と、マッチング対象とするテキストや数字などの値が記録されたマッチングバリューと、条件を満たした場合に配信対象とする拡張現実映像を指定したファイルＩＤとを含み、
前記映像特定手段は、前記配信要求情報に含まれる前記マーカー情報が一致する前記マッチングデータの中から、前記マッチングタイプに基づいて指定した前記位置情報、前記属性情報、前記視聴回数情報、前記読み取り済みマーカー情報のいずれかが、前記マッチングバリューに記録されている値を用いて設定された前記マッチング条件を満たす場合に、前記ファイルＩＤで指定されている拡張現実映像を配信対象映像として前記視聴者端末へ配信することを特徴とする拡張現実映像提供システム。
【請求項２】
請求項１に記載の拡張現実映像提供システムにおいて、
前記映像特定手段は、前記配信要求情報に含まれる前記位置情報に基づいて、視聴者の現在位置に応じた拡張現実映像を前記視聴者端末へ配信する拡張現実映像として特定することを特徴とする拡張現実映像提供システム。
【請求項３】
請求項１または２に記載の拡張現実映像提供システムにおいて、
前記映像特定手段は、前記配信要求情報に含まれる前記属性情報に基づいて、視聴者の属性に応じた拡張現実映像を前記視聴者端末へ配信する拡張現実映像として特定することを特徴とする拡張現実映像提供システム。
【請求項４】
請求項１〜３のいずれか一項に記載の拡張現実映像提供システムにおいて、
前記映像特定手段は、前記配信要求情報に含まれる前記視聴回数情報に基づいて、視聴者による拡張現実映像の視聴回数に応じた拡張現実映像を前記視聴者端末へ配信する拡張現実映像として特定することを特徴とする拡張現実映像提供システム。
【請求項５】
請求項１〜４のいずれか一項に記載の拡張現実映像提供システムにおいて、
前記映像特定手段は、前記配信要求情報に含まれる前記読み取り済みマーカー情報に基づいて、前記視聴者によって過去に読み取られたマーカー情報に応じた拡張現実映像を前記視聴者端末へ配信する拡張現実映像として特定することを特徴とする拡張現実映像提供システム。
【請求項６】
請求項１〜５のいずれか一項に記載の拡張現実映像提供システムにおいて、
前記映像特定手段は、前記配信要求情報に含まれる前記マーカー情報、前記位置情報、前記属性情報、前記視聴回数情報、前記読み取り済みマーカー情報がマッチング用データにより指定されている条件を満たした場合に、該条件を満たしたマッチング用データに前記拡張現実映像と同時に再生させる同時再生用の拡張現実映像を特定するための同時再生用情報が含まれる場合には、前記配信対象映像とともに、前記同時再生用情報により特定される同時再生用の拡張現実映像も前記視聴者端末へ配信することを特徴とする拡張現実映像提供システム。
【手続補正２】
【補正対象書類名】明細書
【補正対象項目名】０００５
【補正方法】変更
【補正の内容】
【０００５】
本発明による拡張現実映像提供システムは、拡張現実映像を視聴する視聴者が所持する視聴者端末と、視聴者の属性を記録して管理する視聴者属性管理装置と、通信回線を介して拡張現実映像を配信する映像配信装置とを備え、視聴者端末は、拡張現実映像の再生指示を認識するためのマーカーを読み取って、マーカー情報を取得するマーカー情報取得手段と、視聴者端末の位置情報を取得する位置情報取得手段と、マーカー情報取得手段によって取得されたマーカー情報と、位置情報取得手段によって取得された位置情報と、あらかじめ記録されている視聴者を特定するための視聴者特定情報とを含んだ拡張現実映像の再生指示情報を視聴者属性管理装置へ送信する再生指示情報送信手段とを備え、視聴者属性管理装置は、記憶媒体に記録されている視聴者情報に基づいて、視聴者の属性を示す属性情報を特定する属性情報数特定手段と、記憶媒体に記録されている視聴履歴情報に基づいて、視聴者による拡張現実映像の視聴回数を示す視聴回数情報を特定する視聴回数情報特定手段と、記憶媒体に記録されているマーカー読み取り履歴情報に基づいて、視聴者によって過去に読み取られたマーカー情報を示す読み取り済みマーカー情報を特定する読み取り済みマーカー情報特定手段と、視聴者端末から受信したマーカー情報および位置情報と、属性情報数特定手段によって特定された属性情報と、視聴回数情報特定手段によって特定された視聴回数情報と、読み取り済みマーカー情報特定手段によって特定された読み取り済みマーカー情報とを含んだ配信要求情報を映像配信装置へ送信する配信要求情報送信手段とを備え、映像配信装置は、視聴者属性管理装置から受信した配信要求情報に基づいて、視聴者端末へ配信する拡張現実映像を特定する映像特定手段と、映像特定手段によって特定された拡張現実映像を視聴者端末へ送信する映像送信手段とを備え、映像配信装置では、配信要求情報に基づいて、視聴者端末へ配信する拡張現実映像を特定するための複数のマッチング用データが記憶媒体に記録されており、マッチング用データは、マーカー情報と、マッチングさせるデータのタイプを示すマッチングタイプと、マッチング条件と、マッチング対象とするテキストや数字などの値が記録されたマッチングバリューと、条件を満たした場合に配信対象とする拡張現実映像を指定したファイルＩＤとを含み、映像特定手段は、配信要求情報に含まれる前記マーカー情報が一致するマッチングデータの中から、マッチングタイプに基づいて指定した位置情報、属性情報、視聴回数情報、読み取り済みマーカー情報のいずれかが、マッチングバリューに記録されている値を用いて設定されたマッチング条件を満たす場合に、ファイルＩＤで指定されている拡張現実映像を配信対象映像として視聴者端末へ配信することを特徴とする。
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
拡張現実映像を視聴する視聴者が所持する視聴者端末と、前記視聴者の属性を記録して管理する視聴者属性管理装置と、通信回線を介して前記拡張現実映像を配信する映像配信装置とを備えた拡張現実映像提供システムであって、
前記視聴者端末は、
前記拡張現実映像の再生指示を認識するためのマーカーを読み取って、マーカー情報を取得するマーカー情報取得手段と、
前記視聴者端末の位置情報を取得する位置情報取得手段と、
前記マーカー情報取得手段によって取得された前記マーカー情報と、前記位置情報取得手段によって取得された前記位置情報と、あらかじめ記録されている前記視聴者を特定するための視聴者特定情報とを含んだ前記拡張現実映像の再生指示情報を前記視聴者属性管理装置へ送信する再生指示情報送信手段とを備え、
前記視聴者属性管理装置は、
記憶媒体に記録されている視聴者情報に基づいて、前記視聴者の属性を示す属性情報を特定する属性情報特定手段と、
前記記憶媒体に記録されている視聴履歴情報に基づいて、前記視聴者による前記拡張現実映像の視聴回数を示す視聴回数情報を特定する視聴回数情報特定手段と、
前記記憶媒体に記録されているマーカー読み取り履歴情報に基づいて、前記視聴者によって過去に読み取られたマーカー情報を示す読み取り済みマーカー情報を特定する読み取り済みマーカー情報特定手段と、
前記視聴者端末から受信した前記マーカー情報および前記位置情報と、前記属性情報特定手段によって特定された前記属性情報と、前記視聴回数情報特定手段によって特定された前記視聴回数情報と、前記読み取り済みマーカー情報特定手段によって特定された前記読み取り済みマーカー情報とを含んだ配信要求情報を前記映像配信装置へ送信する配信要求情報送信手段とを備え、
前記映像配信装置は、
前記視聴者属性管理装置から受信した前記配信要求情報に基づいて、前記視聴者端末へ配信する前記拡張現実映像を特定する映像特定手段と、
前記映像特定手段によって特定された前記拡張現実映像を前記視聴者端末へ送信する映像送信手段とを備え、
前記映像配信装置では、前記配信要求情報に基づいて、前記視聴者端末へ配信する前記拡張現実映像を特定するための複数のマッチング用データが記憶媒体に記録されており、
前記マッチング用データは、前記マーカー情報と、マッチングさせるデータのタイプを示すマッチングタイプと、マッチング条件と、マッチング対象とするテキストや数字などの値が記録されたマッチングバリューと、条件を満たした場合に配信対象とする拡張現実映像を指定したファイルＩＤとを含み、
前記映像特定手段は、前記配信要求情報に含まれる前記マーカー情報が一致する前記マッチングデータの中から、前記マッチングタイプに基づいて指定した前記位置情報、前記属性情報、前記視聴回数情報、前記読み取り済みマーカー情報のいずれかが、前記マッチングバリューに記録されている値を用いて設定された前記マッチング条件を満たす場合に、前記ファイルＩＤで指定されている拡張現実映像を配信対象映像として前記視聴者端末へ配信することを特徴とする拡張現実映像提供システム。
【請求項２】
請求項１に記載の拡張現実映像提供システムにおいて、
前記映像特定手段は、前記配信要求情報に含まれる前記位置情報に基づいて、視聴者の現在位置に応じた拡張現実映像を前記視聴者端末へ配信する拡張現実映像として特定することを特徴とする拡張現実映像提供システム。
【請求項３】
請求項１または２に記載の拡張現実映像提供システムにおいて、
前記映像特定手段は、前記配信要求情報に含まれる前記属性情報に基づいて、視聴者の属性に応じた拡張現実映像を前記視聴者端末へ配信する拡張現実映像として特定することを特徴とする拡張現実映像提供システム。
【請求項４】
請求項１〜３のいずれか一項に記載の拡張現実映像提供システムにおいて、
前記映像特定手段は、前記配信要求情報に含まれる前記視聴回数情報に基づいて、視聴者による拡張現実映像の視聴回数に応じた拡張現実映像を前記視聴者端末へ配信する拡張現実映像として特定することを特徴とする拡張現実映像提供システム。
【請求項５】
請求項１〜４のいずれか一項に記載の拡張現実映像提供システムにおいて、
前記映像特定手段は、前記配信要求情報に含まれる前記読み取り済みマーカー情報に基づいて、前記視聴者によって過去に読み取られたマーカー情報に応じた拡張現実映像を前記視聴者端末へ配信する拡張現実映像として特定することを特徴とする拡張現実映像提供システム。
【請求項６】
請求項１〜５のいずれか一項に記載の拡張現実映像提供システムにおいて、
前記映像特定手段は、前記配信要求情報に含まれる前記マーカー情報、前記位置情報、前記属性情報、前記視聴回数情報、前記読み取り済みマーカー情報がマッチング用データにより指定されている条件を満たした場合に、該条件を満たしたマッチング用データに前記拡張現実映像と同時に再生させる同時再生用の拡張現実映像を特定するための同時再生用情報が含まれる場合には、前記配信対象映像とともに、前記同時再生用情報により特定される同時再生用の拡張現実映像も前記視聴者端末へ配信することを特徴とする拡張現実映像提供システム。
【手続補正２】
【補正対象書類名】明細書
【補正対象項目名】０００５
【補正方法】変更
【補正の内容】
【０００５】
本発明による拡張現実映像提供システムは、拡張現実映像を視聴する視聴者が所持する視聴者端末と、視聴者の属性を記録して管理する視聴者属性管理装置と、通信回線を介して拡張現実映像を配信する映像配信装置とを備え、視聴者端末は、拡張現実映像の再生指示を認識するためのマーカーを読み取って、マーカー情報を取得するマーカー情報取得手段と、視聴者端末の位置情報を取得する位置情報取得手段と、マーカー情報取得手段によって取得されたマーカー情報と、位置情報取得手段によって取得された位置情報と、あらかじめ記録されている視聴者を特定するための視聴者特定情報とを含んだ拡張現実映像の再生指示情報を視聴者属性管理装置へ送信する再生指示情報送信手段とを備え、視聴者属性管理装置は、記憶媒体に記録されている視聴者情報に基づいて、視聴者の属性を示す属性情報を特定する属性情報特定手段と、記憶媒体に記録されている視聴履歴情報に基づいて、視聴者による拡張現実映像の視聴回数を示す視聴回数情報を特定する視聴回数情報特定手段と、記憶媒体に記録されているマーカー読み取り履歴情報に基づいて、視聴者によって過去に読み取られたマーカー情報を示す読み取り済みマーカー情報を特定する読み取り済みマーカー情報特定手段と、視聴者端末から受信したマーカー情報および位置情報と、属性情報特定手段によって特定された属性情報と、視聴回数情報特定手段によって特定された視聴回数情報と、読み取り済みマーカー情報特定手段によって特定された読み取り済みマーカー情報とを含んだ配信要求情報を映像配信装置へ送信する配信要求情報送信手段とを備え、映像配信装置は、視聴者属性管理装置から受信した配信要求情報に基づいて、視聴者端末へ配信する拡張現実映像を特定する映像特定手段と、映像特定手段によって特定された拡張現実映像を視聴者端末へ送信する映像送信手段とを備え、映像配信装置では、配信要求情報に基づいて、視聴者端末へ配信する拡張現実映像を特定するための複数のマッチング用データが記憶媒体に記録されており、マッチング用データは、マーカー情報と、マッチングさせるデータのタイプを示すマッチングタイプと、マッチング条件と、マッチング対象とするテキストや数字などの値が記録されたマッチングバリューと、条件を満たした場合に配信対象とする拡張現実映像を指定したファイルＩＤとを含み、映像特定手段は、配信要求情報に含まれる前記マーカー情報が一致するマッチングデータの中から、マッチングタイプに基づいて指定した位置情報、属性情報、視聴回数情報、読み取り済みマーカー情報のいずれかが、マッチングバリューに記録されている値を用いて設定されたマッチング条件を満たす場合に、ファイルＩＤで指定されている拡張現実映像を配信対象映像として視聴者端末へ配信することを特徴とする。